(57)【要約】本発明はディスプレイ構成及びその取り付けに関する。
2013522683.tif 000002
【特許請求の範囲】
【請求項１】
ディスプレイ（６）及び前面部品（２）を有するディスプレイ構成（１）であって、
前記前面部品（２）と前記ディスプレイ（６）との間に中間部品（５）が設けられ、
前記中間部品（５）は前記ディスプレイ（６）と摩擦係合の態様で接続されるディスプレイ構成（１）。
【請求項２】
前記中間部品（５）は弾性材料から作られる、請求項１に記載のディスプレイ構成（１）。
【請求項３】
前記中間部品（５）は少なくとも一つの凹部（７）を有し、キャリア部品（８）に設けられた拡張手段（９）が拡張の態様で前記凹部（７）と係合する、請求項１又は２に記載のディスプレイ構成（１）。
【請求項４】
前面ガラス（４）を有する、請求項１から３のいずれか一項に記載のディスプレイ構成（１）。
【請求項５】
前記前面ガラス（４）は前記ディスプレイ（６）と特に接着結合の態様で接続される、請求項４に記載のディスプレイ構成（１）。
【請求項６】
前記前面部品はカバー（３）を有する、請求項１から５のいずれか一項に記載のディスプレイ構成（１）。
【請求項７】
前記前面ガラス（４）は前記カバー（３）に配列される、請求項５又は６に記載のディスプレイ構成（１）。
【請求項８】
請求項１から７のいずれか一項に記載のディスプレイ構成を取り付ける方法であって、前記ディスプレイ（６）を前記前面部品（２）に載置し、前記中間部品（５）を摩擦係合の態様で接続する方法。
【請求項９】
前記中間部品は、キャリア部品によって少なくとも部分的に変形される、請求項８に記載の方法。
【請求項１０】
前記キャリア部品は前記前面部品と接続される、請求項８又は９に記載の方法。
【発明の詳細な説明】
【技術分野】
【０００１】
本発明は、ディスプレイ構成及びその取り付けに関する。
【背景技術】
【０００２】
従来技術により、ねじボス／位置決めピンの組み合わせの態様にある位置決め要素を使用してＴＦＴ（薄膜トランジスタ）ディスプレイを、キャリア部品に対して位置決めして当該キャリア部品にねじ締結により固定する方法が知られている。引き続きキャリア部品が取り付けられた前カバーをその後、ＴＦＴディスプレイの厚み公差（約０．３ｍｍ）とバランスさせてＴＦＴディスプレイの前面に圧力がかからないようにして、ＴＦＴディスプレイから所定距離のところに位置決めする必要がある。この重要な間隙は究極的に、視差に関連する困難性をもたらす。当該ディスプレイ上の画素が全く隠されないにもかかわらず、ＴＦＴディスプレイのフレームをすべての観察角から見えないようにする必要があるからである。
【先行技術文献】
【特許文献】
【０００３】
【特許文献１】米国特許出願公開第２００６／２０９２２７（Ａ１）号明細書
【特許文献２】欧州特許出願公開第０６９５９６４（Ａ２）号明細書
【特許文献３】欧州特許出願公開第０３０２１８９（Ａ２）号明細書
【発明の概要】
【０００４】
本発明が解決する課題は、ディスプレイの前面圧力負荷を必要とせず、かつ、従来技術の上述の不利益を克服するディスプレイ構成及びその取り付けを提案することにある。
【０００５】
当該課題は、前面部品とディスプレイとの間に設けられる中間部品が、摩擦係合の態様で当該ディスプレイと接続される、ディスプレイ及び前面部品を有するディスプレイ構成により解決される。
【０００６】
本発明はディスプレイに関する。このディスプレイは、当業者にとって周知の任意のディスプレイである。例えば、ＴＦＴ、ＬＣＤ、及び／又はＯＬＥＤディスプレイである。
【０００７】
さらに、本発明に係るディスプレイは前面部品を有する。前面部品とディスプレイとの間に中間部品が設けられる。この中間部品はまず、ディスプレイを前面部品に事前固定し及び／又は前面部品をディスプレイに接続するべく使用される。
【０００８】
本発明によれば、中間部品は、摩擦係合の態様でディスプレイに接続される。摩擦係合は、中間部品の少なくとも複数のセクションをディスプレイに対して押圧することにより生じるのが好ましい。
【０００９】
したがって、中間部品は、フレーム状中間部品であるのが好ましい。これは、例えばゴム材料及び／又は発泡材料のような弾性材料から作られるのが特に好ましい。この中間部品は、ディスプレイ構成の組み付け中に弾性変形するのが好ましい。これにより、ディスプレイに対して少なくとも部分的に押圧され、摩擦係合がもたらされる。さらに、弾性中間部品は、比較的粗い製造公差を許容することができるという利点がある。好ましい実施例において、中間部品はまた、本発明に係るディスプレイ構成にほこり及び／又は湿分が入り込まないようにするべくシールとして使用される。
【００１０】
中間部品は、キャリア部品に設けられる拡張手段が拡張の態様で係合する少なくとも１つの凹部を有するのが好ましい。拡張手段は、特にその断面積が、少なくとも複数のセクションにおいて凹部の断面積よりも大きいサイズであるのが好ましい。これにより、拡張手段は凹部を拡張し／広げる。拡張手段は、キャリア部品から拡張手段の先端までテーパをなすのが好ましい。拡張手段は、ウェッジ形状で設けられるのが特に好ましい。この拡張手段により、中間部品の弾性変形がもたらされる。中間部品は、キャリア部品と前面部品との間にクランプされるのが好ましい。中間部品は、複数の凹部を有するのが好ましい。これに整合する拡張手段がキャリア部品に配列される。凹部は、中心軸に対して対称に設けられるのが好ましい。
【００１１】
好ましい実施例において、ディスプレイ構成は前面ガラスを有する。
【００１２】
前面ガラスは、特に接着結合によりディスプレイに接続されるのが好ましい。この接着結合に対しては、光接着剤が特に適している。
【００１３】
ディスプレイ構成の前面部品にはカバーが設けられるのが好ましい。このカバー上に前面ガラスが配列されるのが好ましい。
【００１４】
本発明のさらなる目的は、本発明に係るディスプレイ構成を取り付ける方法にある。ここで、ディスプレイが前面部品に置かれて中間部品と摩擦係合により接続される。
【００１５】
本発明に係るディスプレイ構成に関してなされる説明は本発明に係る方法に対しても同様に適用され、その逆も成り立つ。
【００１６】
中間部品は、キャリア部品によって少なくとも変形を受けるのが好ましい。さらに、キャリア部品は、前面部品に接続されるのが好ましい。特に、当該相互接続は、ねじ封止又はスナップ嵌めにより行われる。ツールなしの態様が極めて特に好ましい。この場合の拡張要素は、中間部品が過度に変形されないようにするための制限手段として使用される。
【００１７】
したがって、本発明の一側面は、中間部品が、２つの第１コンポーネント間に作られる中間スペースに配列されることを含む。当該中間部品は、例えば、当該２つの第１コンポーネント間相互の事前位置決めを保証する。中間部品の少なくとも一つの領域が、弾性的に柔軟な材料から形成される一方、さらなる第２のコンポーネントには、比較的寸法が安定した少なくとも一つの押圧嵌め具が設けられる。個々のコンポーネントがディスプレイ構成として一体に組み付けられると、弾性的に柔軟な領域が押圧嵌め具によって変形されることにより、第１コンポーネントの一方の表面が押圧される。
【００１８】
本発明は図１から３を参照して以下に説明される。当該説明は例示のみを目的とし、本発明の根底にある一般的基礎概念を制限するものではない。当該説明は、本発明の双方の目的に同等に当てはまる。
【図面の簡単な説明】
【００１９】
【図１】本発明に係るディスプレイ構成を分解図で示す。
【図２】図１のディスプレイ構成の詳細であって、本ディスプレイ構成の組み付けにおける初めの段階を断面図として示す。
【図３】図２の表現であって、本ディスプレイ構成の組み付けにおける後の段階を示す。
【発明を実施するための形態】
【００２０】
以下の図面において、同じコンポーネント及び要素には同じ参照番号が与えられる。
【００２１】
図１に分解図として示される本発明に係るディスプレイ構成１は、例えば車両の運転席に配置される。ディスプレイ構成１は、前面部品２によって前部境界が定められる。前面部品２は、一体前面ガラス４を有する前カバー３を含む。弾性的に柔軟な材料（例えばゴム、シリコーン、熱可塑性エラストマー、及び／又は発泡体）から製造される中間部品５が、フレーム状の幾何学的構成を示す。ディスプレイ構成１はディスプレイをさらに含む。この場合はＴＦＴディスプレイ６である。
【００２２】
取り付けられた状態において前方を向く中間部品５の前表面５０上では、複数の開口７（これらのいくつかのみに参照番号が割り当てられている）がスペース内に開口する。開口７は、前表面５０の全周にわたり互いに規則的な間隔で配列される。ここで、他の配列も可能である。
【００２３】
キャリア部品８がディスプレイ６の後ろに配置される。これは、ディスプレイ構成１の後方境界を定める平坦な板状基体８０を有する。基体８０には、端部上で開口７と整合する複数の押圧嵌めウェッジ９（これらのいくつかのみこれらのいくつかのみに参照番号が割り当てられている）が設けられる。押圧嵌めウェッジ９が、基体８０の全周端部にわたって分散される。
【００２４】
個々のコンポーネントが組み付けられて完成ディスプレイ構成１になるとき、まずディスプレイ６が後側から前面部品２に導入及び載置される。その結果、ディスプレイ６は、前面部品２に対して密接に、すなわち少なくとも実質的に間隙なしで、嵌まる。ディスプレイ６と前カバー２との間に作られる中間スペース、特にディスプレイの外周と前面部品の内周との間の中間スペース、において、中間部品５が事前位置決めを目的として挿入又は載置される。ディスプレイ構成組み付けのさらなる途上において、その後、キャリア部品８の前面部品２に対する又は中間部品５に対する収束が存在する。この収束は図２に示される。図２は、第１矢印Ｐ１によって、組み付けの対応時点における図１からのディスプレイ構成１の詳細を示す。
【００２５】
複数の押圧嵌めウェッジ９が開口７と整合される。その結果、キャリア部品８の前面部品２に対する収束段階中、押圧嵌めウェッジ９のそれぞれが、中間部品５における少なくとも一つの開口７と係合する。
【００２６】
押圧嵌めウェッジ９の広がるウェッジ形状ゆえに、キャリア部品８の前面部品２に対する収束が進行するにつれ、開口７の周辺に関連する領域において中間部品５は益々弾性的に変形される。これにより、中間部品５の内周が少なくとも複数のセクションにおいて変位し、ディスプレイ６の表面に対して、特にその外周に対して、押圧される。
【００２７】
図３は、図２からの表現であって、ディスプレイ構成１の組み付けにおける後の段階を図２と比較して示す。押圧嵌めウェッジ９はこのとき、開口７の中に深く入り込んでいる。
【００２８】
参照される材料変形の方向は、第２矢印Ｐ２によって示される。第２矢印Ｐ２は同時に、ディスプレイ６の中に変位する材料の接触力の方向を表す。
【００２９】
複数の押圧嵌めウェッジ９がその画定された最終位置に到達した場合、これらは究極的に、前カバー２にディスプレイ６の詰め込みをもたらすことにより、当該ディスプレイ６を摩擦によって固定する。前カバー３はその後、ねじ１０によってキャリア部品８に固定又はクリップ留めされる。
【００３０】
個々の開口／押圧嵌めウェッジ組み合わせは互いに協調がとられ、特に、異なる箇所における変形が同時に生じる。このことは、ディスプレイ６の対称的な位置決めが達成されることを意味する。
【００３１】
また、前面ガラスをディスプレイに付着し（例えば光接着剤等の接着によって）、その後、ディスプレイ及び前面ガラスを含む結果的な複合コンポーネントを、前面ガラスが前カバーの前側と面一に配列されるように構成することができる。この場合においても、上述の原理に係る、前カバーとディスプレイとの間に配置される中間部品の弾性変形による固定がもたらされる。
【００３２】
その結果、前カバーに対するディスプレイの整合がもたらされる、ディスプレイを位置決め及び固定する新規な方法が示されている。
【００３３】
本発明に係るディスプレイの位置決め及び固定に対し、ＴＦＴ後側のねじボス及びピンを省略することができる。
【００３４】
中間部品５を、ディスプレイ構成１の内側領域に外側からのほこりが入り込まないようにシールする機能を果たすべく設計することができる。
【００３５】
ＴＦＴディスプレイの一例について本発明を説明したが、これを限定とみなすべきではない。むしろ、本発明はまた、ＴＦＴディスプレイ以外の任意タイプのディスプレイに使用することができる。例えば、発光又はプラズマディスプレイ、ＬＣＤ（液晶ディスプレイ）、ＯＬＥＤ（有機発光ダイオード）等である。
【符号の説明】
【００３６】
１  ディスプレイ構成
２  前面部品
３  カバー、前カバー
４  前面ガラス
５  中間部品
６  ディスプレイ、ＴＦＴディスプレイ
７  開口
８  キャリア部品
９  拡張手段、押圧嵌めウェッジ
１０  ねじ
５０  （中間部品の）前面
８０  基体
Ｐ１  第１矢印
Ｐ２  第２矢印
【図１】
2013522683.tif 000003
【図２】
2013522683.tif 000004
【図３】
2013522683.tif 000005
【国際調査報告】
2013522683.tif 000006
2013522683.tif 000007
2013522683.tif 000008
2013522683.tif 000009